(57)【要約】      （修正有）【課題】横倒しとなっても転がりにくい園芸用ポットを提供する。【解決手段】植物を栽培するための園芸用ポット１であって、第１ポット２と、第２ポット３と、吸水棒４とを備える。第１ポットは、水を溜める貯水空間Ｓ１を画定する。第２ポットは、植物を栽培する栽培空間Ｓ２を画定する収容部３３を有するとともに、貯水空間を上方から覆うように第１ポットに対して着脱可能に固定される。吸水棒は、吸水性を有する材料から形成される。収容部は、底面部３１を有する。底面部には、吸水孔３１ａが形成される。吸水棒は、一端が貯水空間内に、他端が栽培空間内に位置するように吸水孔に挿し込まれる。第１ポット及び第２ポットは、互いに固定された状態において、外側に凸となるように湾曲した側周面１０を形成する。【選択図】図１
0003231682.tif 000002
【実用新案登録請求の範囲】
【請求項１】
植物を栽培するための園芸用ポットであって、
水を溜める貯水空間を画定する第１ポットと、
前記植物を栽培する栽培空間を画定する収容部を有するとともに、前記貯水空間を上方から覆うように前記第１ポットに対して着脱可能に固定される第２ポットと、
吸水性を有する材料から形成される吸水棒と、
を備え、
前記収容部は、底面部を有し、
前記底面部には、吸水孔が形成され、
前記吸水棒は、一端が前記貯水空間内に、他端が前記栽培空間内に位置するように前記吸水孔に挿し込まれ、
前記第１ポット及び前記第２ポットは、互いに固定された状態において、外側に凸となるように湾曲した側周面を形成する、
園芸用ポット。
【請求項２】
前記第１ポットは、前記貯水空間を画定する環状の第１側壁部を有し、
前記第２ポットは、前記収容部から隙間を空けて、前記収容部の周囲を囲む環状の第２側壁部をさらに有し、
前記第１側壁部及び前記第２側壁部は、前記第１側壁部の内側面と前記第２側壁部の外側面とが対面するように、前記第１側壁部の上端部に前記第２側壁部の下端部がはめ込まれた状態で、前記第１ポットに対して前記第２ポットを回転させることにより、前記第１ポットに対して前記第２ポットが固定された状態をロックするロック機構を構成する、
請求項１に記載の園芸用ポット。
【請求項３】
前記第１ポットは、前記貯水空間を画定する環状の第１側壁部を有し、
前記第２ポットは、前記収容部から隙間を空けて、前記収容部の周囲を囲む環状の第２側壁部をさらに有し、
前記第１側壁部及び前記第２側壁部は、前記第１側壁部の外側面と前記第２側壁部の内側面とが対面するように、前記第１側壁部の上端部が前記第２側壁部の下端部にはめ込まれた状態で、前記第１ポットに対して前記第２ポットを回転させることにより、前記第１ポットに対して前記第２ポットが固定された状態をロックするロック機構を構成する、
請求項１に記載の園芸用ポット。
【請求項４】
前記吸水孔は、前記底面部の偏心した位置に形成される、
請求項１から３のいずれかに記載の園芸用ポット。
【請求項５】
前記吸水孔は、前記底面部の中心に形成される、
請求項１から３のいずれかに記載の園芸用ポット。
【請求項６】
前記吸水棒を形成する材料は、ウール、合成繊維及び合成樹脂からなる群から選択される、
請求項１から５のいずれかに記載の園芸用ポット。
【請求項７】
前記吸水棒の径は、前記吸水孔の径と同程度である、
請求項１から６のいずれかに記載の園芸用ポット。
【請求項８】
請求項１から７のいずれかに記載の園芸用ポットと、
前記栽培空間で栽培される植物と、
を備える、
植物付きの園芸用ポット。
【考案の詳細な説明】
【技術分野】
【０００１】
本考案は、園芸用ポットに関する。
【背景技術】
【０００２】
実用新案登録第３２１１１８８号（特許文献１）は、底面給水方式の二重構造の園芸用鑑賞鉢を開示する。この園芸用鑑賞鉢は、外鉢と、外鉢の中に嵌め込まれ、外鉢に対して固定される中鉢と、吸水棒とを備える。中鉢は、底面に吸水棒の直径と同直径の吸水孔を有する。吸水棒は、一端が吸水孔を介して中鉢に差し込まれ、他端が外鉢の底面に接触するように配置される。外鉢と中鉢との間の空間に水を溜めると、吸水棒が毛細管現象により水を吸い上げ、徐々に水が中鉢内に吸水される。
【先行技術文献】
【特許文献】
【０００３】
【特許文献１】実用新案登録第３２１１１８８号
【考案の概要】
【考案が解決しようとする課題】
【０００４】
特許文献１のような園芸用鑑賞鉢は、中鉢に土と植物とを入れ、様々な場所に配置して楽しむことができる。しかし、誤って横倒しにしてしまうと、そのまま転がりやすく、その結果広い範囲に中鉢の土が漏れてしまうおそれがある。
【０００５】
本開示は、横倒しとなっても転がりにくい園芸用ポットを提供することを目的とする。
【課題を解決するための手段】
【０００６】
本開示のある局面に従う園芸用ポットは、植物を栽培するための園芸用ポットであって、第１ポットと、第２ポットと、吸水棒とを備える。第１ポットは、水を溜める貯水空間を画定する。第２ポットは、前記植物を栽培する栽培空間を画定する収容部を有するとともに、前記貯水空間を上方から覆うように前記第１ポットに対して着脱可能に固定される。吸水棒は、吸水性を有する材料から形成される。前記収容部は、底面部を有する。前記底面部には、吸水孔が形成される。前記吸水棒は、一端が前記貯水空間内に、他端が前記栽培空間内に位置するように前記吸水孔に挿し込まれる。前記第１ポット及び前記第２ポットは、互いに固定された状態において、外側に凸となるように湾曲した側周面を形成する。
【０００７】
第１ポットと第２ポットとは固定することができ、両者は互いに固定された状態で、外側に凸となるように湾曲した側周面を形成する。このため、園芸用ポットが横倒しになっても、第１ポットと第２ポットとが分離せず、全体が回転し難い。従って、栽培空間に植物及び栽培用土等が収容された状態の園芸用ポットを誤って転倒させてしまったとしても、栽培用土等を広範囲にこぼしてしまう事態を回避することができる。
【０００８】
上記園芸用ポットにおいて、第１ポットは、前記貯水空間を画定する環状の第１側壁部を有してもよい。第２ポットは、前記収容部から隙間を空けて、前記収容部の周囲を囲む環状の第２側壁部をさらに有してもよい。第１側壁部及び第２側壁部は、前記第１側壁部の内側面と前記第２側壁部の外側面とが対面するように、前記第１側壁部の上端部に前記第２側壁部の下端部がはめ込まれた状態で、前記第１ポットに対して前記第２ポットを回転させることにより、前記第１ポットに対して前記第２ポットが固定された状態をロックするロック機構を構成してもよい。
【０００９】
ロック機構では、環状の第１側壁部と環状の第２側壁部とが互いに一部重なり合った状態で、第１ポットに対して第２ポットが固定される。このため、貯水空間に水が溜められている状態で園芸用ポットが横倒しになったとしても、貯水空間内の水が外部に漏れ出しにくい。
【００１０】
上記園芸用ポットにおいて、第１ポットは、前記貯水空間を画定する環状の第１側壁部を有してもよい。第２ポットは、前記収容部から隙間を空けて、前記収容部の周囲を囲む環状の第２側壁部をさらに有してもよい。第１側壁部及び第２側壁部は、前記第１側壁部の外側面と前記第２側壁部の内側面とが対面するように、前記第１側壁部の上端部が前記第２側壁部の下端部にはめ込まれた状態で、前記第１ポットに対して前記第２ポットを回転させることにより、前記第１ポットに対して前記第２ポットが固定された状態をロックするロック機構を構成してもよい。
【００１１】
ロック機構では、環状の第１側壁部と環状の第２側壁部とが互いに一部重なり合った状態で、第１ポットに対して第２ポットが固定される。このため、貯水空間に水が溜められている状態で園芸用ポットが横倒しになったとしても、貯水空間内の水が外部に漏れ出しにくい。
【００１２】
上記園芸用ポットにおいて、前記吸水孔は、前記底面部の偏心した位置に形成されてもよい。
【００１３】
上記園芸用ポットにおいて、前記吸水孔は、前記底面部の中心に形成されてもよい。
【００１４】
上記園芸用ポットにおいて、前記吸水棒を形成する材料は、ウール、合成繊維及び合成樹脂からなる群から選択されてもよい。
【００１５】
上記園芸用ポットにおいて、前記吸水棒の径は、前記吸水孔の径と同程度であってもよい。
【００１６】
本開示の他の局面に従う植物付きの園芸用ポットは、上記園芸用ポットのいずれかと、前記栽培空間で栽培される植物とを備えてもよい。
【考案の効果】
【００１７】
本開示によれば、園芸用ポットは、外側に凸となるように湾曲した側周面を有する。このため、全体が横倒し状態でも転がりにくい。従って、周囲を広範囲に汚すおそれがなく、様々な場所に置いて楽しむことができる。
【図面の簡単な説明】
【００１８】
【図１】一実施形態に係る園芸用ポットの全体斜視図。
【図２】一実施形態に係る第１ポットの断面図。
【図３Ａ】第１側壁部の上端部を上から見た図。
【図３Ｂ】第１側壁部の上端部を貯水空間側から見た図。
【図４】一実施形態に係る第２ポットの断面図。
【図５Ａ】第２側壁部の下端部を下から見た図。
【図５Ｂ】第２側壁部の下端部の側面図。
【図６Ａ】ロック機構の動作を説明する図。
【図６Ｂ】ロック機構の動作を説明する図。
【図６Ｃ】ロック機構の動作を説明する図。
【図７】一実施形態に係る園芸用ポットの断面図。
【図８】一実施形態に係る園芸用ポットの使用状態を示す図。
【図９Ａ】変形例に係る園芸用ポットの構成を示す図。
【図９Ｂ】別の変形例に係る園芸用ポットの構成を示す図。
【図９Ｃ】さらに別の変形例に係る園芸用ポットの構成を示す図。
【図９Ｄ】さらに別の変形例に係る園芸用ポットの構成を示す図。
【考案を実施するための形態】
【００１９】
以下、本開示の実施の形態について、図面を参照しながら詳細に説明する。なお、図中同一又は相当部分には同一符号を付してその説明は繰り返さない。
【００２０】
＜１．園芸用ポットの全体構成＞
［概要］
図１は、本開示の一実施形態に係る園芸用ポット１（以下、単に「ポット１」とも称する）の全体構成を示す斜視図であり、図８は、ポット１の使用状態を示す図である。ポット１は、植物の鑑賞及び栽培を手軽に行うための園芸用鉢である。図１に示すように、ポット１は、第１ポット２と、第２ポット３と、吸水棒４とを備える。第１ポット２及び第２ポット３は、硬質の樹脂で形成され、互いの固定及び分離が可能である。両者が固定されることにより、ポット１は全体として湾曲した側周面１０を有する「ナツメ型」に構成される。
【００２１】
第１ポット２は、植物Ｐに供給するための水Ｗを溜める貯水空間Ｓ１を画定する。第２ポット３は、貯水空間Ｓ１全体を上方から覆うように、第１ポット２に固定される。第２ポット３は、上方に開口する栽培空間Ｓ２を有し、栽培空間Ｓ２内にユーザの好む植物Ｐと、この植物Ｐを育成する土Ｃとを収容するように構成される（図８参照）。
【００２２】
吸水棒４は、吸水性の材料から構成される棒体であり、毛細管現象により水Ｗを下から上へと吸い上げる。吸水棒４は、第２ポット３の第２底面部３１に形成される吸水孔３１ａに挿し込まれると、その一端が貯水空間Ｓ１内に位置し、他端が栽培空間Ｓ２内に位置するように構成される。これにより、貯水空間Ｓ１内に溜められた水Ｗは、吸水棒４により吸い上げられて、栽培空間Ｓ２内の土Ｃ、ひいては植物Ｐに供給される。このように、ポット１では、土Ｃの表面から水遣りをする必要がなく、土Ｃの中の余分な水が外部に排出されることもない。このため、ポット１は、植物Ｐを入れて、卓上や飾り棚等の好きな場所に飾ることができる。ポット１はシンプルな外観を有するため、植物Ｐ付きのポット１は、ポット１の外観を含めたオブジェとして鑑賞を楽しむことができる。以下、ポット１を構成する各要素について説明した後、ポット１の使用方法について説明する。
【００２３】
［第１ポット］
図２は、第１ポット２の断面図である。第１ポット２は、第１底面部２１と、第１側壁部２０とを有する。第１底面部２１は、これに限定されないが、平面視円形を有する。第１側壁部２０は、中心線Ｌ１を基準として外側に凸となるように湾曲しつつ、第１底面部２１の周縁から立ち上がる。これにより、第１側壁部２０は上方に行くほど径が大きくなる環状の側壁となり、外側に凸となるように湾曲したポット１の側周面１０を形成する。第１側壁部２０の上端部２００は、貯水空間Ｓ１の上部開口を画定する。
【００２４】
貯水空間Ｓ１は、植物Ｐに供給するための水Ｗを溜める空間であり、第１底面部２１及び第１側壁部２０により画定される。貯水空間Ｓ１の容積は特に限定されないが、第２ポット３の第２底面部３１に達しない程度まで溜められた水Ｗが、数日程度で消費される程度の容積とすることが好ましい。
【００２５】
上端部２００は、後述する第２ポット３の第２側壁部３０の下端部３００とともに、第１ポット２に第２ポット３を確実に固定するためのロック機構を構成する。本実施形態の上端部２００は、下端部３００の外径と同程度であるか、わずかに大きい内径を有する。これにより、上端部２００は、上端部２００の内側面と、下端部３００の外側面が対面するように、下端部３００を受け入れることができる。
【００２６】
本実施形態のロック機構は、具体的には、上端部２００に形成される突条部２１０と、後述する下端部３００に形成される鉤状部３１０とから構成される。図３Ａは、上端部２００を真上から見た図であり、図３Ｂは、上端部２００を貯水空間Ｓ１内から見た図である。図３Ａに示すように、突条部２１０を除く上端部２００は、第１ポット２の他の部分よりも薄肉となるように形成される。突条部２１０は、貯水空間Ｓ１に向かって突出するように、上端部２００の内側面上に形成される。
【００２７】
図３Ｂに示すように、突条部２１０は、水平方向に対して傾斜するように延びる。突条部２１０は、２つ以上形成されることが好ましい。本実施形態の上端部２００には、これに限定されないが、同様の構成を有する突条部２１０が３つ、周方向にわたって等間隔となるように形成される。後述するように、鉤状部３１０も、周方向にわたる互いの間隔が突条部２１０と同様になるよう、突条部２１０と同数だけ下端部３００に形成される。これにより、突条部２１０及び鉤状部３１０は、ねじ込み式のロック機構を形成する。
【００２８】
第１ポット２を形成する材料は特に限定されないが、製造の容易さ、製造コスト、及び扱い易さという観点では、硬質の樹脂が好ましい。また、第１ポット２を形成する材料は、透明な材料であることが好ましい。本実施形態に係る第１ポット２は、透明なポリスチレン製である。第１ポット２が透明な材料で形成されると、ユーザが貯水空間Ｓ１内の水Ｗの残量を目視により確認でき、適時に水Ｗの補充等を行うことができる。また、水Ｗの透明感を生かした外観により、オブジェとしての価値を一層高めることができる。
【００２９】
［第２ポット］
図４は、第２ポット３の断面図である。第２ポット３は、第１ポット２に対して着脱自在に固定される。第２ポット３を形成する材料は、第１ポット２と同様特に限定されないが、硬質の樹脂が好ましい。本実施形態に係る第２ポット３は、ポリプロピレン製である。第２ポット３は、第２底面部３１と、第２側壁部３０と、第３側壁部３２とを有する。第２底面部３１と第３側壁部３２とは、ともに栽培空間Ｓ２を画定する収容部３３を形成する。
【００３０】
第２底面部３１は、これに限定されないが、平面視円形を有する。第２底面部３１には、貫通孔である吸水孔３１ａが形成される。図４に示すように、本実施形態では第２底面部３１の偏心した位置に吸水孔３１ａが形成される。吸水孔３１ａは、吸水棒４の径と同程度の径を有する。これにより、吸水棒４が栽培空間Ｓ２及び貯水空間Ｓ１内で位置決めされる。
【００３１】
第３側壁部３２は、第２底面部３１の周縁から立ち上がり、上端３２０において第２側壁部３０に連続する。第３側壁部３２の形状は特に限定されず、例えば上方に行くほど径が大きくなるテーパ状であってもよいし、径が一定の円筒状であってもよいし、これらが組み合わせられた形状であってもよい。第３側壁部３２の上端３２０は、栽培空間Ｓ２の上部開口を画定する。
【００３２】
第２側壁部３０は、上端３２０において第３側壁部３２に連続する。第２側壁部３０は、中心線Ｌ２を基準として外側に凸となるように湾曲しつつ、上端３２０を基端として下方に延びる。これにより、第２側壁部３０は収容部３３の周囲を収容部３３との間に隙間を空けて囲むとともに、下方に行くほど径が大きくなる環状の側壁となる。第２側壁部３０は、第１側壁部２０とともに、外側に凸となるように湾曲したポット１の側周面１０を形成する。側周面１０は、第１ポット２と第２ポット３との境界においても段差が殆ど形成されない、滑らかな面となるよう形成される（図７参照）。
【００３３】
第２側壁部３０の下端部３００は、第１ポット２の上端部２００とともにロック機構を構成する。下端部３００には、突条部２１０と対をなすように、３つの鉤状部３１０が形成される。図５Ａは、下端部３００を真下から見た図である。図５Ａに示すように、鉤状部３１０を除く下端部３００は、第２ポット３の他の部分よりも薄肉となるように形成される。鉤状部３１０は、第１ポット２の外側の空間に向かって突出するように、下端部３００の外側面上に形成される。鉤状部３１０は、上端部２００の内側に下端部３００がはめ込まれたときに突条部２１０と干渉するが、上端部２００の突条部２１０が形成されていない部分とは干渉しないか、殆ど干渉しない程度に突出する。
【００３４】
図５Ｂは、下端部３００を第２ポット３の側方から見た図である。図５Ｂに示すように、鉤状部３１０は、鉛直方向に伸びるストッパ部３１００と、ストッパ部３１００の下端から水平方向に対して傾斜して延びる傾斜部３１０１とを有する。傾斜部３１０１の傾斜は、第１ポット２の外側から透視したときの突条部２１０の傾斜と一致する。
【００３５】
［ロック機構］
ロック機構は、以下のように機能する。まず、第２ポット３が貯水空間Ｓ１全体を覆うように、第１ポット２に対して第２ポット３を位置決めする。次に、突条部２１０と鉤状部３１０とが干渉しないように、互いの周方向の位置をずらした状態で、第１ポット２の上端部２００の内側に、第２ポット３の下端部３００をはめ込む。なお、図７の断面図に示すように、第１側壁部２０の肉厚及び第２側壁部３０の肉厚は、下端部３００が上端部２００を超えた下方に達さず、上端部２００が下端部３００を超えた上方に達しないように調整されている。これにより、上端部２００と下端部３００とが重なり、上端部２００の内側面と下端部３００の外側面とが対面する。
【００３６】
この状態をポット１の側方から見ると、図６Ａのようになる。図６Ａでは、突条部２１０は上端部２００の裏側に存在するため破線で示されており、鉤状部３１０は上端部２００の内側に存在するため、２点鎖線で区別して示されている。
【００３７】
次に、下端部３００を上端部２００に対して回転させ、突条部２１０の下側に鉤状部３１０の傾斜部３１０１が沿うようにする（図６Ｂ）。上端部２００に対する下端部３００の回転方向は、突条部２１０及び傾斜部３１０１が下方に傾斜する方向であり、図６Ｂの矢印Ａ１の方向である。
【００３８】
さらに下端部３００を上端部２００に対して回転させると、突条部２１０とストッパ部３１００が干渉し、それ以上の回転が規制される（図６Ｃ）。この状態では、突条部２１０と傾斜部３１０１とが互いに干渉し合い、第１ポット２から第２ポット３を分離しようとする力に対して抵抗力を生じる。これにより、第１ポット２と第２ポット３とが確実に固定されたロック状態となる。ポット１のロック状態では、ポット１を誤って倒してしまったとしても、容易に第１ポット２と第２ポット３とが分離することが防止される。
【００３９】
第１ポット２から第２ポット３を取り外すときは、まず下端部３００を上端部２００に対して矢印Ａ１の逆方向に回転させる。これにより、突条部２１０と鉤状部３１０とが完全に離れると、ロック状態が解除される。次に、上端部２００から下端部３００を引き抜くように、第２ポット３を第１ポット２から離すように力を加える。これにより、第１ポット２から第２ポット３を取り外すことができる。
【００４０】
［吸水棒］
吸水棒４は、棒体として形成され、毛細管現象により水を吸い上げることができるものであれば、その構成は特に限定されない。吸水棒４を形成する材料としては、ウール、合成繊維及び合成樹脂等が挙げられる。本実施形態の吸水棒４は、ポリエステル繊維から形成される。吸水棒４の外径は、吸水孔３１ａの径と同程度であり、例えば３ｍｍ〜５ｍｍである。
【００４１】
吸水棒４は、一端側が栽培空間Ｓ２内の土Ｃ中に埋め込まれた状態で、他端が貯水空間Ｓ１の第１底面部２１に接するように吸水孔３１ａに挿し込まれることが好ましい。吸水棒４の全長は、一端が貯水空間Ｓ１内に位置し、他端が栽培空間Ｓ２内に位置するような長さである限り特に限定されず、例えば６ｃｍ〜１０ｃｍであるが、土Ｃの種類及び植物Ｐの種類に応じて、適宜変更することができる。
【００４２】
＜２．園芸用ポットの使用方法＞
以下、ポット１の使用方法について説明する。まず、第１ポット２と第２ポット３とのロック状態を解除して、第１ポット２と第２ポット３とを分離する。さらに、ポット１の栽培空間Ｓ２内で栽培するための植物Ｐと、植物Ｐの用土である土Ｃとを用意する。土Ｃの種類は、植物Ｐの種類に応じて適宜選択することができ、特に限定されない。土Ｃは、例えば、様々な種類の土の他に砂、石、コケ植物及び改良用土等を含んでいてもよい。
【００４３】
次に、貯水空間Ｓ１に植物Ｐに与えるための水を溜める。なお、第１ポット２は、適切な水位を示す目印を備えていてもよい。また、第２ポット３の吸水孔３１ａに吸水棒４を挿し込み、貯水空間Ｓ１内及び栽培空間Ｓ２内に適当な長さで延びるようにセットする。
【００４４】
土Ｃを栽培空間Ｓ２内に収容し、植物Ｐを土Ｃに植え込む。土Ｃの表面には、コケ植物、小石及び布等を適宜敷いてもよい。
【００４５】
第１ポット２に植物Ｐ入りの第２ポット３を固定し、ロック機構により互いの固定状態をロックする。これにより、図８に示すような植物Ｐ付きのポット１が完成する。貯水空間Ｓ１内に水Ｗを追加するときは、再度ロック状態を解除し、第１ポット２から第２ポット３を取り外し、貯水空間Ｓ１に水Ｗを入れる。その後、再度第１ポット２に第２ポット３を取り付け、固定状態をロックする。
【００４６】
＜３．特徴＞
以上のように、ポット１では、第１ポット２と第２ポット３とがともに外側に凸となるように湾曲した側周面１０を形成する。これにより、ポット１を横倒しにしてしまっても、ポット１が転がり続けることがなく、栽培空間Ｓ２内の土Ｃが広い範囲にこぼれ出てしまうことが回避される。
【００４７】
また、第１ポット２と第２ポット３とは、第２ポット３の上端部２００を、第１ポット２の下端部３００にはめ込み、回転させることで互いの固定状態をロックする、ロック機構を形成する。これにより、ポット１に力が加わっても、第１ポット２と第２ポット３とが容易に分離せず、誤って貯水空間Ｓ１内の水Ｗをこぼしてしまうことが回避される。また、ロック状態では、上端部２００と下端部３００とがほとんど隙間を形成しないように重なる。このため、ポット１が横倒しになった場合でも貯水空間Ｓ１内の水Ｗが外部に漏れ出し難く、周囲を水びたしにするおそれが少ない。
【００４８】
さらに、ポット１では、吸水棒４により水Ｗが適宜土Ｃに供給される。貯水空間Ｓ１には、充分な量の水Ｗを溜めておくことができるので、頻繁に水遣りをしなくても植物Ｐを育成することができる。第１ポット２が透明な材料で形成される場合は、水Ｗの残量が一目で確認できるため、適時に貯水空間Ｓ１に水Ｗを補充することができる。また、ポット１によれば、土Ｃの上表面から水遣りをする必要がないので、撒かれた水がポット１外に飛び散るおそれがない。
【００４９】
以上の構成により、ポット１は、植物Ｐを手軽に栽培し、様々な場所で鑑賞するのに好適である。
【００５０】
＜４．変形例＞
以上、実施の形態について説明したが、本考案は、上記実施の形態に限定されるものではなく、その趣旨を逸脱しない限りにおいて、種々の変更が可能である。以下、変形例について説明する。
【００５１】
＜４−１＞
上記実施形態において、吸水孔３１ａは第２底面部３１の偏心した位置に形成されたが、吸水孔３１ａは第２底面部３１の中央に形成されてもよい。
【００５２】
＜４−２＞
植物Ｐと土Ｃとは、規格品のインナーポット（苗ポット）に入った状態で用意され、インナーポットごと栽培空間Ｓ２内に入れられてもよい。この場合、吸水孔３１ａを第２底面部３１の中央または中央付近に形成すれば、インナーポットの底部開口を利用して、吸水棒４を容易に土Ｃ内に挿し込むことができる。植物Ｐ及び土Ｃがインナーポットごと栽培空間Ｓ２内に入るようにポット１を構成すれば、土Ｃ及び植物Ｐの交換も容易となる。
【００５３】
＜４−３＞
上記実施形態では、第１底面部２１及び第２底面部３１が平面視円形に形成されたが、第１底面部２１及び第２底面部３１の形状はこれに限定されず、適宜変更することができる。また、第１底面部２１と第２底面部３１との形状は互いに異なってもよい。
【００５４】
＜４−４＞
上記実施形態では、湾曲した側周面１０は、ポット１が平面視円形となるように形成された。しかし、湾曲した側周面１０の形状はこれに限定されず、例えばポット１が平面視楕円形、平面視多角形（図９Ａ）、及び花形（図９Ｂ）となるような形状であってもよい。また、第１側壁部２０は、上方に行くにつれて断面積が徐々に大きくなった後に最大となり、さらに上方に行くにつれて断面積が徐々に小さくなるように形成されてもよい（図９Ｃ）。同様に、第２側壁部３０は、下方に行くにつれて断面積が徐々に大きくなった後に最大となり、さらに下方に行くにつれて断面積が徐々に小さくなるように形成されてもよい（図９Ｄ）。
【００５５】
＜４−５＞
上記実施形態では、下端部３００が上端部２００の内側にはめ込まれるようにロック機構が形成された。しかしながら、ロック機構の構成はこれに限定されず、例えば下端部３００の内側に上端部２００がはめ込まれるように形成されてもよい。また、下端部３００に突条部２１０が形成され、上端部２００に鉤状部３１０が形成されてもよい。突条部２１０及び鉤状部３１０の数や形状は、上記実施形態に限定されず、適宜変更することができる。また、ロック機構はねじ込み式のものに限定されない。
【００５６】
＜４−６＞
第２側壁部３０及び第３側壁部３２の構成は、上記実施形態に限定されない。例えば、第２側壁部３０と第３側壁部３２とは、間に隙間を有さず、一体的な側壁として形成されてもよい。また、第２側壁部３０と第３側壁部３２との隙間は、第２底面部３１側から見たときに、閉塞されていてもよい。
【符号の説明】
【００５７】
１  園芸用ポット
２  第１ポット
３  第２ポット
４  吸水棒
１０  側周面
２０  第１側壁部
３０  第２側壁部
３１  底面部
３１ａ  吸水孔
３３  収容部
２００  上端部
３００  下端部
Ｓ１  貯水空間
Ｓ２  栽培空間
【図１】
0003231682.tif 000003
【図２】
0003231682.tif 000004
【図３Ａ】
0003231682.tif 000005
【図３Ｂ】
0003231682.tif 000006
【図４】
0003231682.tif 000007
【図５Ａ】
0003231682.tif 000008
【図５Ｂ】
0003231682.tif 000009
【図６Ａ】
0003231682.tif 000010
【図６Ｂ】
0003231682.tif 000011
【図６Ｃ】
0003231682.tif 000012
【図７】
0003231682.tif 000013
【図８】
0003231682.tif 000014
【図９Ａ】
0003231682.tif 000015
【図９Ｂ】
0003231682.tif 000016
【図９Ｃ】
0003231682.tif 000017
【図９Ｄ】
0003231682.tif 000018